(57)【要約】【課題】遮断器の電源の電流に基づいて、遮断器の投入時の制御電流の流れ始めを確実に検出することが可能な遮断器監視装置を提供する。【解決手段】遮断器の動作を監視する遮断器監視装置は、電源線に接続された投入スイッチに直列接続され、投入スイッチがオンとなると、遮断器の投入を制御するための制御電流が流れる制御素子と、投入スイッチに直列接続されるとともに制御素子に並列接続され、投入スイッチがオンとなると、制御電流が流れ始めたときに遮断器の投入を検出するためのパルス状の電流を発生する電流発生回路と、パルス状の電流に基づいて、遮断器の投入を検出する検出装置と、を備える。【選択図】図２
2011171178.tif 000002
【特許請求の範囲】
【請求項１】
遮断器の動作を監視する遮断器監視装置であって、
電源線に接続された投入スイッチに直列接続され、前記投入スイッチがオンとなると、前記遮断器の投入を制御するための制御電流が流れる制御素子と、
前記投入スイッチに直列接続されるとともに前記制御素子に並列接続され、前記投入スイッチがオンとなると、前記制御電流が流れ始めたときに前記遮断器の投入を検出するためのパルス状の電流を発生する電流発生回路と、
前記パルス状の電流に基づいて、前記遮断器の投入を検出する検出装置と、
を備えることを特徴とする遮断器監視装置。
【請求項２】
請求項１に記載の遮断器監視装置であって、
前記遮断器は、投入コイルが励磁されると投入される遮断器であり、
前記制御素子は、前記制御電流が流れると、前記投入コイルを励磁させる継電器であること、
を特徴とする遮断器監視装置。
【請求項３】
請求項１に記載の遮断器監視装置であって、
前記遮断器は、蓄勢されたばねが放勢されると投入される遮断器であり、
前記制御素子は、前記制御電流が流れると、前記蓄勢されたばねを放勢させる投入コイルであること、
を特徴とする遮断器監視装置。
【請求項４】
請求項１〜３の何れか一項に記載の遮断器監視装置であって、
前記電流発生回路は、
直列に接続された抵抗とコンデンサとを含むＣＲ直列回路であり、
前記パルス状の電流は、
前記投入スイッチがオンとなると、前記コンデンサを充電する充電電流であること、
を特徴とする遮断器監視装置。
【請求項５】
請求項４に記載の遮断器監視装置であって、
前記検出装置は、
前記電源線に流れる電流を測定する電流測定部と、
前記電流測定部で測定される電流値が所定レベルとなると、前記遮断器が投入されたことを検出する投入検出部と、
を備えることを特徴とする遮断器監視装置。
【請求項６】
請求項５に記載の遮断器制御装置であって、
前記抵抗の抵抗値は、
前記充電電流の最大値が前記所定レベルを超えるよう、前記所定レベルに応じた値であること、
を特徴とする遮断器監視装置。
【請求項７】
請求項４に記載の遮断器監視装置であって、
前記検出装置は、
前記電源線に流れる電流を測定する電流測定部と、
前記電流測定部で測定される電流値の変化量が所定の値を超えると、前記遮断器が投入されたことを検出する投入検出部と、
を備えることを特徴とする遮断器監視装置。
【請求項８】
電源線に接続された投入スイッチに直列接続され、前記投入スイッチがオンとなると、遮断器の投入を制御するための制御電流が流れる制御素子を含み、前記遮断器の動作を監視する遮断器監視装置の投入検出方法であって、
前記投入スイッチに直列接続されるとともに前記制御素子に並列接続された電流発生回路より、前記投入スイッチがオンとなると、前記制御電流が流れ始めたときに前記遮断器の投入を検出するためのパルス状の電流を発生し、
前記パルス状の電流に基づいて、前記遮断器の投入を検出すること、
を特徴とする遮断器監視装置の投入検出方法。
【発明の詳細な説明】
【技術分野】
【０００１】
本発明は、遮断器監視装置および遮断器監視装置の投入検出方法に関する。
【背景技術】
【０００２】
発電所、変電所等の電気所では、例えば、電気所の各種機器に異常な電流等が流れることを防ぐために、一般的に遮断器が設けられている。遮断器が投入または遮断される際に遮断器に流れる制御電流の波形は、遮断器の構造等に基づいて定まる。したがって、例えば、遮断器の各部にグリス固着等がある場合、遮断器の各部の動作時間が長くなり、遮断器の制御電流は所定の波形と異なる波形となる。このため、遮断器の動作を監視する遮断器監視装置等は、遮断器の制御電流を取得して所定の波形と比較することにより、遮断器の状態を判定することが可能である。
【０００３】
例えば、特許文献１には、遮断器の投入コイルの電流を測定して遮断器の制御電流を取得する技術が開示されている。投入コイルの電流を測定する場合では、対象となる遮断器の投入コイルの電流しか測定できない。このため、例えば、電気所に複数の遮断器がある場合には、電流センサも複数必要となる。
【０００４】
例えば、特許文献２では、複数の遮断器が設けられている電気所において、複数の遮断器に対する共通の電源の電流を一つの電流センサ等で測定することにより、夫々の遮断器の制御電流を測定する技術が開示されている。
【０００５】
このように、例えば複数の遮断器の制御電流を一つの電流センサで測定する場合には、電源の電流に基づいて遮断器の制御電流が取得されることがある。
【先行技術文献】
【特許文献】
【０００６】
【特許文献１】特開２００３−３０８７５１号公報
【特許文献２】特開昭６１−１９８０７０号公報
【発明の概要】
【発明が解決しようとする課題】
【０００７】
ところで、遮断器の電源には一般的に様々な機器等が接続され、それら機器等には常時電流が流れる。また、遮断器の投入時の電源の電流波形は、例えば図９に示すような波形となる。図９から明らかなように、電源の電流は遮断器が投入され、制御電流が流れ始めると増加する。したがって、遮断器監視装置は、例えば、電源の電流が所定のしきい値を超えたか否か等を検出することにより制御電流が発生したことを検出することができる。
【０００８】
一般に、投入時の制御電流の電流値は、例えば遮断時の制御電流の電流値よりも小さい。このため、電流値の小さい投入時の制御電流の流れ始めを精度よく検出するためには、しきい値を低くすることが望ましい。しかしながら、電源の電流値は、電源からのノイズや接続された機器の動作条件等により変動する。このため、例えばしきい値を低くすると、遮断器監視装置はノイズ等を制御電流と誤って検出してしまうことがある。このように、遮断器の電源の電流に基づいて、遮断器の投入時の制御電流の流れ始めを確実に検出することは難しい。
【０００９】
本発明は上記課題を鑑みてなされたものであり、遮断器の電源の電流に基づいて、遮断器の投入時の制御電流の流れ始めを確実に検出することが可能な遮断器監視装置を提供することを目的とする。
【課題を解決するための手段】
【００１０】
上記目的を達成するため、本発明の一つの側面に係る遮断器の動作を監視する遮断器監視装置は、電源線に接続された投入スイッチに直列接続され、前記投入スイッチがオンとなると、前記遮断器の投入を制御するための制御電流が流れる制御素子と、前記投入スイッチに直列接続されるとともに前記制御素子に並列接続され、前記投入スイッチがオンとなると、前記制御電流が流れ始めたときに前記遮断器の投入を検出するためのパルス状の電流を発生する電流発生回路と、前記パルス状の電流に基づいて、前記遮断器の投入を検出する検出装置と、を備えることとする。
【発明の効果】
【００１１】
遮断器の電源の電流に基づいて、遮断器の投入時の制御電流の流れ始めを確実に検出することが可能な遮断器監視装置を提供することができる。
【図面の簡単な説明】
【００１２】
【図１】本発明の一実施形態である遮断器一括監視システムの構成を示した図である。
【図２】電流発生回路２１及び遮断器２３の構成の一例を示す図である。
【図３】電流発生回路２１及び遮断器２３の動作を説明するための図である。
【図４】電流発生回路２２及び遮断器２４の構成の一例を示す図である。
【図５】遮断器動作一括監視装置２５の構成を示す図である。
【図６】ＣＰＵ１０２の機能ブロックを示す図である。
【図７】遮断器２３が投入された際の電流Ｉ１の波形を示す図である。
【図８】遮断器２３が投入された際の遮断器動作一括監視装置２５の処理の一例を示すフローチャートである。
【図９】遮断器が投入された際の電源の電流波形の一例を示す図である。
【発明を実施するための形態】
【００１３】
本明細書および添付図面の記載により、少なくとも以下の事項が明らかとなる。  
図１は、本発明の一実施形態である遮断器一括監視システムの構成を示した図である。
【００１４】
遮断器一括監視システムは、制御所および電気所に配置された遠隔制御装置１０と、電気所（発電所、変電所等）に配置された直流電源装置２０、電流発生回路２１、２２、遮断器２３，２４、遮断器動作一括監視装置２５、電源線２６，２７、通信線３０、変流器３５，３６を含んで構成される。なお、例えば、本実施形態の電源線２６，２７等は、正側（Ｐ側）の電線と負側（Ｎ側）の電線とを含むが、便宜上、図１においては、１本の線で記載している。
【００１５】
遠隔制御装置１０は、通信線３０を介して電気所の機器を制御する情報処理装置であり、制御所に設けられた親局の遠隔制御装置１０ａと、電気所に設けられた子局の遠隔制御装置１０ｂとを含んで構成される。本実施形態では、利用者が遠隔制御装置１０ａの操作部（不図示）を操作することにより、遠隔制御装置１０ａは、操作結果に応じたデータを通信線３０へ出力する。そして、遠隔制御装置１０ｂは、遠隔制御装置１０ａからのデータを受信し、データに基づいて電気所の機器を制御する。
【００１６】
直流電源装置２０は、電気所における各種機器の動作を制御するための制御用電源と、遮断器の投入用電源とを生成する装置である。直流電源装置２０は、整流器４０、蓄電池４１、配電用遮断器４２〜４４、直流母線４５、及び端子Ａ，Ｂを含んで構成される。
【００１７】
整流器４０は、交流電源（不図示）から入力される交流電流を直流電流に変換し、配電用遮断器４２と直流母線４５とを介して蓄電池４１を充電する。また、整流器４０は、直流母線４５に接続される負荷に直流電源を供給する。
【００１８】
蓄電池４１は、例えば、停電等で整流器４０に交流電源が入力されない場合に、直流母線４５に接続される負荷に直流電源を供給する電池である。
【００１９】
配電用遮断器４２〜４４の夫々は、接続される負荷を過電流から保護するための遮断器である。配電用遮断器４２は、整流器４０の電源を直流母線４５に配電する。配電用遮断器４３は、直流母線４５の電源を、各種機器を実際に動作させるための投入用電源として各種機器に配電する。具体的には、本実施形態の配電用遮断器４３は、端子Ａに接続された電源線２７を介して遮断器２３，２４に投入用電源を配電する。
【００２０】
配電用遮断器４４は、直流母線４５の電源を、各種機器の動作を制御するための制御用電源として各種機器に配電する。具体的には、本実施形態の配電用遮断器４４は、端子Ｂに接続された電源線２６を介して電流発生回路２１，２２、遮断器２３，２４に制御用電源を配電する。なお、図１には特に図示していないが、電源線２６には、リレー盤等の各種機器が接続されている。このため、電源線２６には各種機器を動作させるためバイアス電流が常時流れている。
【００２１】
電流発生回路２１は、遮断器２３が投入されると、電源線２６にパルス状の電流を生成する回路であり、電流発生回路２２は、遮断器２４が投入されると、電源線２６にパルス状の電流を生成する回路である。なお、電流発生回路２１，２２の詳細については後述する。
【００２２】
遮断器２３は、送電線Ａに流れる電流が所定よりも大きくなると、母線から送電線Ａに流れる電流を遮断する。また、遮断器２３は、遠隔制御装置１０ａからの指示や手動操作により、投入または遮断が制御される。なお、詳細は後述するが、遮断器２３は電磁操作方式の遮断器である。
【００２３】
遮断器２４は、遮断器２３と同様に、送電線Ｂに流れる電流が所定よりも大きくなると、母線から送電線Ｂに流れる電流を遮断する。また、遠隔制御装置１０ａからの指示や手動操作により、投入または遮断が制御される。なお、詳細は後述するが、遮断器２４は電磁ばね操作方式の遮断器である。
【００２４】
遮断器動作一括監視装置２５は、配電用遮断器４３から供給される投入用電源、配電用遮断器４４から供給される制御用電源の夫々の電流を測定することにより、電気所における遮断器２３，２４の動作を監視する装置である。
【００２５】
変流器３５（電流測定部）は、投入用電源の電流を端子Ａより上流側で測定し、変流器３６（電流測定部）は、制御用電源に流れる電流を端子Ｂより上流側で測定する。なお、変流器３５，３６を前述した位置に設けることにより、電源線２６，２７に接続される全ての遮断器の制御電流、投入電流を測定することが可能となる。また、本実施形態では、制御用電源に流れる電流を電流Ｉ１とし、投入用電源に流れる電流を電流Ｉ２とする。なお、変流器３５，３６、遮断器動作一括監視装置２５は検出装置に相当する。
【００２６】
＝＝電流発生回路２１及び遮断器２３の一例＝＝
図２は、電流発生回路２１と、遮断器２３の主要な要素の一実施形態を示す図である。ここでは、電源線２６の正側（Ｐ側）の電源線を電源線２６Ｐとし、負側（Ｎ側）の電源線を電源線２６Ｎとする。なお、電源線２７に関しても同様である。
【００２７】
電流発生回路２１は、抵抗５０及びコンデンサ５１が直列に接続されたＣＲ直列回路である。
【００２８】
遮断器２３は、前述のように電磁操作方式の遮断器であり、投入スイッチ６０、補助スイッチ６１，６５、電磁継電器６２、投入コイル６３、切スイッチ６４、及び引外しコイル６６を含んで構成されている。
【００２９】
電磁継電器６２（制御素子）は、投入スイッチ６０及び補助スイッチ６１を介して電源線２６Ｐに接続されている。また、投入コイル６３は、電磁継電器６２の接点を介して電源線２７Ｐに接続されている。そして、引外しコイル６６は、切スイッチ６４及び補助スイッチ６５を介して電源線２６Ｐに接続されている。なお、補助スイッチ６１は、投入動作が完了するとオフし、遮断動作が完了するとオンするよう補助継電器（不図示）により制御される。また、補助スイッチ６５は、補助スイッチ６１とは逆に、投入動作が完了するとオンし、遮断動作が完了するとオフするよう補助継電器（不図示）により制御される。
【００３０】
＝＝電流発生回路２１及び遮断器２３の動作の一例＝＝
ここで、図３を参照しつつ、遮断器２３が投入される際の電流発生回路２１及び遮断器２３の動作について説明する。なお、遮断器２３が投入される前には、補助スイッチ６１はオンし、補助スイッチ６５はオフしている。また、遮断器２３の投入を制御するため電磁継電器６２に流れる電流を制御電流Ｉａとし、コンデンサ５１に流れる電流を充電電流Ｉｂとする。
【００３１】
時刻ｔ１に、例えば遠隔制御装置１０ｂからの投入の指示が出力されると、投入スイッチ６０はオンする。投入スイッチ６０がオンとなると、電磁継電器６２のコイル（不図示）に遮断器２３の投入を制御するための制御電流Ｉａが流れ始める。なお、制御電流Ｉａの波形は、電磁継電器６２のコイル等に基づいて定まり、例えば図３の中段に示すような所定の波形となる。また、投入スイッチ６０がオンとなると、抵抗５０及びコンデンサ５１を含むＣＲ直列回路の両端電圧はステップ状に増加するため充電電流Ｉｂも流れ始める。ここで、ＣＲ直列回路の両端に印加される電圧を電圧Ｅ、抵抗５０の抵抗値をＲ、コンデンサ５１の容量値をＣ、時間をｔとすると、充電電流Ｉｂは、
Ｉｂ（ｔ）＝Ｅ／Ｒ×ｅｘｐ（（−１／Ｃ・Ｒ）×ｔ）
となる。このため、時刻ｔ１では、上式の時間ｔ＝０となるため、充電電流Ｉｂの電流値はＥ／Ｒとなる。そして、充電電流Ｉｂは時間の経過とともに小さくなる。本実施形態では、抵抗５０及びコンデンサ５１を含むＣＲ直列回路の時定数は、投入動作の開始から完了までの期間よりも十分小さくなるよう設計されている。このため、充電電流Ｉｂは図３に示すようにパルス状に変化する。そして、投入動作が完了する時刻ｔ２となると、補助スイッチ６１はオフするため、制御電流Ｉａはゼロとなる。また、前述のように、ＣＲ直列回路の時定数は小さいため、時刻ｔ２において充電電流Ｉｂは無視できる程度に小さくなる。このため、電流Ｉ１の電流値も常時流れるバイアス電流に一致する。
【００３２】
なお、時刻ｔ１に制御電流Ｉａが流れ始めると、電磁継電器６２のコイル（不図示）の磁力によって電磁継電器６２の接点が閉じる。このため、電源線２７Ｐから投入コイル６３に投入電流が供給され、遮断器６２の投入が開始される。
【００３３】
＝＝電流発生回路２２及び遮断器２４の一例＝＝
図４は、電流発生回路２２と、遮断器２４の主要な要素の一実施形態を示す図である。
【００３４】
電流発生回路２２は、電流発生回路２１と同様に、抵抗５５及びコンデンサ５６が直列に接続されたＣＲ直列回路である。
【００３５】
遮断器２４は、前述のように電動ばね操作方式の遮断器であり、投入スイッチ７０、補助スイッチ７１，７７、投入コイル７２、リミットスイッチ７３、電磁接触器７４、モータ７５、切スイッチ７６、及び引外しコイル７８を含んで構成されている。
【００３６】
投入コイル７２（制御素子）は、投入スイッチ７０及び補助スイッチ７１を介して電源線２６Ｐに接続されている。また、電磁接触器７４は、リミットスイッチ７３を介して電源線２６Ｎに接続されている。さらに、モータ７５は、電磁接触器７４の接点を介して電源線２７Ｐに接続されている。そして、引外しコイル７８は、切スイッチ７６及び補助スイッチ７７を介して電源線２６Ｐに接続されている。なお、補助スイッチ７１は、投入動作が完了するとオフし、遮断動作が完了するとオンするよう補助継電器（不図示）により制御される。また、補助スイッチ７７は、補助スイッチ７１とは逆に、投入動作が完了するとオンし、遮断動作が完了するとオフするよう補助継電器（不図示）により制御される。
【００３７】
＝＝電流発生回路２２及び遮断器２４の動作の一例＝＝
ここで、遮断器２４が投入される際の電流発生回路２１及び遮断器２３の動作について説明する。なお、遮断器２４が投入される前には、補助スイッチ７１はオンし、補助スイッチ７７はオフしている。また、遮断器２４の投入を制御するため投入コイル７２に流れる電流を制御電流Ｉｃとし、コンデンサ５５に流れる電流を充電電流Ｉｄとする。詳細は後述するが遮断器２４では、投入動作が完了する毎に遮断器２４を投入するための投入ばね（不図示）は蓄勢される。
【００３８】
例えば遠隔制御装置１０ｂからの投入の指示が出力されると、投入スイッチ７０はオンする。投入スイッチ７０がオンとなると、投入コイル７２には遮断器２３の投入を制御するための制御電流Ｉｃが流れ始める。なお、制御電流Ｉｃは、前述の図３に示した制御電流Ｉａと同様の波形となる。また、投入スイッチ７０がオンとなると、コンデンサ５６にも充電電流Ｉｄが流れ始める。抵抗５５及びコンデンサ５６を含むＣＲ直列回路は、抵抗５０及びコンデンサ５１を含むＣＲ直列回路と同様である。また、本実施形態では、抵抗５５及びコンデンサ５６を含むＣＲ直列回路の時定数も、遮断器２４の投入動作の開始から完了までの期間よりも十分小さくなるよう設計されている。このため、充電電流Ｉｄも図３の充電電流Ｉｂと同様に変化する。この結果、遮断器２４が投入される際の電流Ｉ１も、図３に示すように、遮断器２３が投入される際の電流Ｉ１と同様に変化する。
【００３９】
なお、投入コイル７２は制御電流Ｉｃにより励磁され、蓄勢された投入ばね（不図示）を放勢して遮断器２４を投入する。遮断器２４の投入が完了すると、補助スイッチ７１をオフされ、リミットスイッチ７３はオンする。リミットスイッチ７３がオンすると、電磁接触器７４の接点が閉じるため、モータ７５には投入電流が供給される。そして、モータ７５は回転し、投入ばね（不図示）を蓄勢する。投入ばねの蓄勢が完了すると、リミットスイッチ７３はオフし、電磁接触器７４の接点が開くため、モータ７５の投入電流も供給されなくなる。このように、遮断器２４では投入動作が完了する毎に投入ばねは蓄勢される。
【００４０】
＝＝遮断器動作一括監視装置２５の一例＝＝
遮断器動作一括監視装置２５は、図５に示すように、ＡＤコンバータ（ＡＤＣ）１００、記憶装置１０１、ＣＰＵ１０２、入力装置１０３、表示装置１０４を含み、夫々がバスを介して通信可能に接続される。
【００４１】
ＡＤコンバータ１００は、変流器３５，３６で測定された電流値をサンプリングしてデジタルデータに変換し、ＣＰＵ１０２の図示しないＲＡＭ（Random Access Memory）格納する。なお、ＡＤコンバータ１００のサンプリング速度は、充電電流Ｉｂの変化よりも十分速いこととする。
【００４２】
記憶装置１０１は、例えばメモリ、記憶媒体等からなる記憶領域であり、ＣＰＵ１０２が実行するプログラム、その他各種データを記憶する。
【００４３】
ＣＰＵ１０２は、記憶装置１０１に記憶されるプログラムを実行することにより、図６に示すような処理部１１０と、検出部１１１とを実現する。
【００４４】
処理部１１０は、遮断器動作一括監視装置２５を統括制御するとともに、各種処理を実行する。
【００４５】
検出部１１１（投入検出部）は、変流器３６で測定された電流Ｉ１から制御電流を検出して取得する。具体的には、検出部１１１は、電流Ｉ１が増加して、例えば所定レベルのしきい値を超えると制御電流が流れ始めたことを検出する。
【００４６】
また、検出部１１１は、電流Ｉ１の変化が緩やかになると、制御電流の供給が停止したことを検出する。なお、ここで、電流Ｉ１の変化が緩やかとは、例えば、サンプリングされた連続するデータの電流値の差が所定の値より小さくなることとする。また、検出部１１１は、前述のように制御電流の流れ始めと停止とを検出すると、その間のデータを取得して記憶装置１０１に格納する。なお、検出部１１１のしきい値は、例えば、バイアス電流が変動した際に想定される最大値や、電源線２６に生じるノイズレベルより十分高くなるよう設定されている。なお、しきい値は、例えば記憶装置１０１に記憶されている。検出部１１１は、制御電流と同様に、変流器３５で測定された電流Ｉ２から投入電流を検出して取得する。
【００４７】
入力装置１０３は、キーボード、マウス、タッチパネル等である。表示装置１０４は、液晶ディスプレイ等であり、例えば、電気所に配置された複数の遮断器の動作監視結果等の表示を行う。
【００４８】
＝＝遮断器動作一括監視装置２５の動作の一例＝＝
ここで、例えば遮断器２３が投入された際に、遮断器動作一括監視装置２５が制御電流を検出する動作の一例を説明する。図７は、遮断器２３が投入された際の電流Ｉ１の波形の一例である。図８は、遮断器動作一括監視装置２５が制御電流を検出する際のフローチャートの一例である。図８の各処理の主体はＣＰＵ１０２の検出部１１１である。
【００４９】
なお、前述のように遮断器２３が投入された際の充電電流Ｉｂの電流値はＥ／Ｒとなる。ここで、電圧Ｅは、電源線２６の電圧に基づいて定まるが、抵抗値Ｒは自由に設定できる。本実施形態では、充電電流Ｉｂの最大値であるＥ／Ｒが、所定レベルのしきい値より十分高くなるような抵抗値Ｒが選択されていることとする。
【００５０】
検出部１１１は、電流Ｉ１がしきい値を超えるか否かを監視する（Ｓ１００）。時刻ｔ１０において、例えば遠隔制御装置１０ｂからの投入の指示が出力されると、遮断器２３の投入は開始される。遮断器２３の投入が開始されると、前述のように、制御電流Ｉａと充電電流Ｉｂとが流れ始めるため、電流Ｉ１はパルス状に変化してしきい値を超える。検出部１１１は、電流Ｉ１が増加してしきい値を超えたことを検出すると（Ｓ１００：ＹＥＳ）、制御電流が流れ始めたことを検出する（Ｓ１０１）。その後検出部１１１は、制御電流の停止を検出すべく、電流Ｉ１の変化が所定以下となるか否かを監視する（Ｓ１０２）。そして、例えば時刻ｔ１１に遮断器２３の投入が完了すると、制御電流Ｉａ及び充電電流Ｉｂはゼロとなり、電流Ｉ１の変化は緩やかとなる。その結果、検出部１１１は、電流Ｉ１の変化が所定以下となることを検出するため（Ｓ１０２：ＹＥＳ）、制御電流Ｉａが停止したことを検出する（Ｓ１０３）。そして検出部１１１は、制御電流Ｉａの流れ始めから、制御電流Ｉａの停止までの間の電流Ｉ１のデータを制御電流Ｉａのデータとして記憶装置１０１に格納する（Ｓ１０４）。
【００５１】
なお、記憶装置１０１に格納された制御電流Ｉａのデータを用いることにより、例えば遮断器２３に異常があるか無いか等を判定することが可能となる。また、ここでは、遮断器２３の投入時の制御電流Ｉａを取得する際の動作を説明したが、遮断器２４の投入時に流れる電流Ｉ１も遮断器２３の投入時に流れる電流Ｉ１と同様である。このため、遮断器２４の投入時の制御電流Ｉｃも同様に取得できる。また、本実施形態では遮断器２３，２４が電源線２６に接続される夫々のノードの全ての位置より上流側に設けられた変流器３５で電流Ｉ１が測定されている。このため、遮断器動作一括監視装置２５は、複数の遮断器２３，２４の制御電流の流れ始めを検出することが可能となる。
【００５２】
以上、本実施形態の遮断器一括監視システムについて説明した。電源線２６に接続された投入スイッチ６０がオンとなると、投入スイッチ６０に直列接続され、電磁継電器６２と並列接続された電流発生回路２１はパルス状の充電電流Ｉｂを発生する。また、例えば図３より明らかなように、充電電流Ｉｂは制御電流Ｉａが流れ始めたときに発生し、充電電流Ｉｂが発生すると電流Ｉ１も急激に増加する。このため、遮断器動作一括監視装置２５は、電源線２６の電流Ｉ１に基づいて、確実に制御電流Ｉａの流れ始めを検出することが可能である。この結果、遮断器動作一括監視装置２５は、遮断器２３の投入が開始されたタイミングを確実に検出することができる。
【００５３】
また、遮断器２３は、投入コイル６３が励磁されると投入される電磁操作方式の遮断器である。さらに、投入コイル６３は、制御電流Ｉａが電磁継電器６２に流れることにより励磁される。このような電磁操作方式の遮断器２３が投入される際も、電流発生回路２１はパルス状の充電電流Ｉｂを生成する。このため、遮断器一括監視装置２５は確実に制御電流Ｉａの流れ始めを検出できる。
【００５４】
また、遮断器２４は、蓄勢された投入ばね（不図示）が放勢されると投入される電動ばね操作方式の遮断器である。さらに、投入コイル６３は、制御電流Ｉｃが流れることにより蓄勢された投入ばねを放勢させる。このような電動ばね操作方式の遮断器２４が投入される際も、電流発生回路２２はパルス状の充電電流Ｉｄを生成する。このため、遮断器一括監視装置２５は確実に制御電流Ｉａの流れ始めを検出できる。
【００５５】
また、パルス状の電流を発生する電流発生回路２１は、例えばコンデンサの代わりに、投入スイッチ６０がオンとなるとオンし、投入スイッチ６０がオンとなった後に所定の時間経過したらオフするスイッチを用いることで実現できる。なお、このような構成の回路を実現するには、例えば、投入スイッチ６０がオンとなった後に所定の時間をカウントするカウンタ等が必要となる。このような回路と比較すると、本実施形態のＣＲ直列回路は素子数が少なく確実にパルス状の電流の生成が可能である。さらに、ＣＲ直列回路の抵抗値を変化させることで充電電流Ｉｂのピーク値を変化させ、容量値を変化させることで充電電流Ｉｂが低下する時間を変化させることができる。このため、所望の特性のパルス状の電流を容易に生成することができる。
【００５６】
また、変流器３５は、電源線２６の電流Ｉ１を測定し、遮断器動作一括監視装置２５の検出部１１１は、電流Ｉ１が所定レベルのしきい値を超えると制御電流が流れ始めたことを検出する。遮断器一括監視システムはこのような装置等を含むことで、確実に遮断器２３，２４が投入されたことを検出することができる。
【００５７】
また、本実施形態では、充電電流Ｉｂの最大値であるＥ／Ｒが、所定レベルのしきい値より十分高くなるような抵抗値Ｒが選択されている。また、検出部１１１のしきい値は、例えば、バイアス電流が変動した際に想定される最大値や、電源線２６に生じるノイズレベルより十分高くなるよう設定されている。このため、遮断器一括監視装置２５は、ノイズ等を誤って検出することを防ぎつつ、確実に制御電流Ｉａの流れ始めを検出できる。
【００５８】
また、検出部１１１は、例えば電流Ｉ１をしきい値と比較して制御電流Ｉａの流れ始めを検出したが、例えば、電流Ｉ１の変化量が所定の値を超えると制御電流Ｉａの流れ始めたことを検出しても良い。具体的には、検出部１１１が、上記機能を実現する代わりに、例えば、サンプリングされた電流Ｉ１のデータのうち、連続してサンプリングされたデータの差を算出する算出部と、算出部の算出結果が基準値を超えた場合に制御電流Ｉａが流れ始めたと判定する判定部との機能を実現しても良い。なお、基準値は、例えば記憶装置１０１等に記憶されていることとする。検出部１１１に上記のような機能ブロックを含ませることにより、検出部１１１は、制御電流Ｉａの流れ始めたことを検出することが可能となる。
【００５９】
また、遮断器２３が投入されると、電流発生回路２１にパルス状の充電電流Ｉｂを発生させ、その充電電流Ｉｂに基づいて遮断器２３が投入されたことを検出することができる。
【００６０】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００６１】
例えば、電流発生回路２１は、投入スイッチ６０側に抵抗５０が設けられているが、投入スイッチ６０側にコンデンサ５１を接続してＣＲ直列回路を構成しても良い。
【符号の説明】
【００６２】
１０  遠隔制御装置
２０  直流電源装置
２１，２２  電流発生回路
２３，２４  遮断器
２５  遮断器動作一括監視装置
２６，２７  電源線
３０  通信線
４０  整流器
４１  蓄電池
４２〜４４  配電用遮断器
５０，５５  抵抗
５１，５６  コンデンサ
６０，７０  投入スイッチ
６１，６５，７１，７７  補助スイッチ
６３，７２  投入コイル
６４，７６  切りスイッチ
６６，７８  引外しコイル
７３  リミットスイッチ
７４  電磁接触器
７５  モータ
１００  ＡＤＣ（ＡＤコンバータ）
１０１  記憶装置
１０２  ＣＰＵ
１０３  入力装置
１０４  表示装置
１１０  処理部
１１１  検出部
【図１】
2011171178.tif 000003
【図２】
2011171178.tif 000004
【図３】
2011171178.tif 000005
【図４】
2011171178.tif 000006
【図５】
2011171178.tif 000007
【図６】
2011171178.tif 000008
【図７】
2011171178.tif 000009
【図８】
2011171178.tif 000010
【図９】
2011171178.tif 000011